(57)【要約】【課題】通気性と弾力性とが共に良く、ペットが快適に寛ぐことができるペット用マットを提供する。【解決手段】ペット用マット１は、上面で開口し底面方向に所定の深さがある略凹状の空間が設けられた空間部１１０を有し、緩衝作用のある素材で形成されたベース部１００と、少なくとも空間部１１０を覆う部分が通気性のある素材２１０で形成されたカバー部２００と、を有し、通気性のある素材２１０は、少なくとも空間部１１０を覆う部分で張設されている。空間部１１０は、四角以上の多角形状または略楕円形状または略円形状で構成され、カバー部２００は、ベース部から着脱可能に構成されている。【選択図】図１
2014168400.tif 000002
【特許請求の範囲】
【請求項１】
上面で開口し底面方向に所定の深さがある略凹状の空間が設けられた空間部を有し、緩衝作用のある素材で形成されたベース部と、
少なくとも前記空間部の開口を覆うカバー部と、
を有し、
前記カバー部は、通気性のある通気性部材を含むことを特徴とするペット用マット。
【請求項２】
前記通気性部材は、少なくとも前記空間部の開口を覆う部分で張設されていることを特徴とする請求項１に記載のペット用マット。
【請求項３】
前記ベース部の前記空間部以外の上面は、略平坦に形成されていることを特徴とする請求項１または２に記載のペット用マット。
【請求項４】
前記カバー部は、前記ベース部から着脱可能に構成されていることを特徴とする請求項１から３のいずれか一項に記載のペット用マット。
【請求項５】
前記通気性部材は、メッシュ構造であり、ポリエステル等の合成樹脂、不織布または防水透湿性素材で形成されていることを特徴とする請求項１から４のいずれか一項に記載のペット用マット。
【請求項６】
前記ベース部は、発泡ウレタン、スポンジ、綿または反発性と通気性と耐久性とを備えた素材で形成されていることを特徴とする請求項１から５のいずれか一項に記載のペット用マット。
【請求項７】
前記カバー部の前記通気性部材以外の部分は、ポリエステルまたはポリウレタン等の合成樹脂で形成されていることを特徴とする請求項１から６のいずれか一項に記載のペット用マット。
【請求項８】
前記ベース部及び前記カバー部は、ペットが上面に乗ることにより撓むように構成されていることを特徴とする請求項１から７のいずれか一項に記載のペット用マット。
【請求項９】
前記カバー部は、前記ベース部の全面を覆う袋状であることを特徴とする請求項１から８のいずれか一項に記載のペット用マット。
【請求項１０】
前記ベース部の上面または前記空間部の開口は、多角形状または略楕円形状または略円形状で構成されていることを特徴とする請求項１から９のいずれか一項に記載のペット用マット。
【請求項１１】
緩衝作用のある素材で形成されたベース部と、
前記ベース部を覆うカバー部と、
を有し、
前記カバー部は、通気性のある通気性部材を含むことを特徴とするペット用マット。
【請求項１２】
上面で開口し底面方向に所定の深さがある略凹状の空間が設けられた空間部を有し、緩衝作用のある素材で形成されたベース部を含むペット用マットのカバー部であって、
少なくとも前記空間部の開口を覆い、
通気性のある通気性部材を含む、
ことを特徴とするペット用マットのカバー部。
【発明の詳細な説明】
【技術分野】
【０００１】
本発明は、ペット用マット及びペット用マットのカバー部に関し、特に室内で飼う犬や猫などの小動物が寛ぐためのペット用マット及びペット用マットのカバー部の構造に関する。
【背景技術】
【０００２】
従来のペット用マットは、例えば特許文献１に示すように、中央にクッション部があり、その周辺をクッション部よりも高くすることにより犬や猫などのペットが頭部を乗せるための枕部となるように構成されている。このような構成のペット用マットは、ペットが安定して寛ぐのに適している。しかしながら、従来のペット用マットは、マットに直接ペットが横たわるため、マットにペットの毛などが付着しやすく、汚れやすいという問題がある。
【０００３】
この問題を解決するために、例えば特許文献２に示すように、ペット用マットの表面を合成繊維で形成されたカバーで被う方法が記載されている。
【先行技術文献】
【特許文献】
【０００４】
【特許文献１】特許第３４１７９２３号明細書（段落０００７、図１）
【特許文献２】特許第４４２２６０４号明細書（段落０００７、図２）
【発明の概要】
【発明が解決しようとする課題】
【０００５】
しかしながら、従来の方法では、ペット用マットがカバーで直接覆われているため、カバーの上にペットが乗るとペット用マットとカバーとの間に隙間が無くなり、通気性が悪くなってしまうという問題がある。
【０００６】
本発明は、上述した従来技術の問題点を解決するためになされたものであり、その目的は、通気性と弾力性とが共に良く、ペットが快適に寛ぐことができるペット用マット及びペット用マットのカバー部を提供することにある。
【課題を解決するための手段】
【０００７】
本発明のある態様によるペット用マットは、上面で開口し底面方向に所定の深さがある略凹状の空間が設けられた空間部を有し、緩衝作用のある素材で形成されたベース部と、少なくとも前記空間部の開口を覆うカバー部と、を有し、前記カバー部は、通気性のある通気性部材を含むことを特徴とする。
【０００８】
この構成によれば、空間部と空間部を覆う通気性部材がペット用マットの上面にあるので、ペットが乗っても通気性と弾力性とを確保することができ、ペットが快適に寛ぐことができるペット用マットを提供することができる。
【０００９】
上記ペット用マットにおいて、前記通気性部材は、少なくとも前記空間部の開口を覆う部分で張設されていてもよい。
【００１０】
こうすれば、空間部と空間部を覆う通気性部材がペット用マットの上面にあるので、ペットが乗っても通気性と弾力性とを確保することができ、ペットが快適に寛ぐことができるペット用マットを提供することができる。
【００１１】
上記ペット用マットにおいて、前記ベース部の前記空間部以外の上面は、略平坦に形成されてもよい。
【００１２】
こうすれば、空間部と空間部を覆う通気性部材がペット用マットの上面にあるので、ペットが乗っても通気性と弾力性とを確保することができ、ペットが快適に寛ぐことができるペット用マットを提供することができる。また、ベース部は、空間部以外の上面が略平坦に形成されているので、ペット用マットの上面を有効に使うことができ、ペットがペット用マットの上面を移動しやすくなる。
【００１３】
上記ペット用マットにおいて、前記カバー部は、前記ベース部から着脱可能に構成してもよい。
【００１４】
こうすれば、ベース部からカバー部を取り外すことによりカバー部を洗濯でき、汚れを除去することができる。
【００１５】
上記ペット用マットにおいて、前記通気性部材は、メッシュ構造であり、ポリエステル等の合成樹脂、不織布または防水透湿性素材で形成してもよい。
【００１６】
こうすれば、空間部と空間部を覆う通気性部材がペット用マットの上面にあるので、ペットが乗っても通気性と弾力性とを確保することができ、ペットが快適に寛ぐことができるペット用マットを提供することができる。
【００１７】
上記ペット用マットにおいて、前記ベース部は、発泡ウレタン、スポンジ、綿または反発性と通気性と耐久性とを備えた素材で形成してもよい。
【００１８】
こうすれば、空間部と空間部を覆う通気性部材がペット用マットの上面にあるので、ペットが乗っても通気性と弾力性とを確保することができ、ペットが快適に寛ぐことができるペット用マットを提供することができる。
【００１９】
上記ペット用マットにおいて、前記カバー部の前記通気性部材以外の部分は、ポリエステルまたはポリウレタン等の合成樹脂で形成してもよい。
【００２０】
こうすれば、空間部と空間部を覆う通気性部材がペット用マットの上面にあるので、ペットが乗っても通気性と弾力性とを確保することができ、ペットが快適に寛ぐことができるペット用マットを提供することができる。
【００２１】
上記ペット用マットにおいて、前記ベース部及び前記カバー部は、ペットが上面に乗ることにより撓むように構成してもよい。
【００２２】
こうすれば、空間部と空間部を覆う通気性部材がペット用マットの上面にあるので、ペットが乗っても通気性と弾力性とを確保することができ、ペットが快適に寛ぐことができるペット用マットを提供することができる。
【００２３】
上記ペット用マットにおいて、前記カバー部は、前記ベース部の全面を覆う袋状でもよい。
【００２４】
こうすれば、ベース部にカバー部を取り付けた状態でペットがペット用マットに乗ってもカバー部が外れにくくなる。
【００２５】
上記ペット用マットにおいて、前記ベース部の上面または前記空間部の開口は、多角形状または略楕円形状または略円形状で構成されてもよい。
【００２６】
本発明の他の態様によるペット用マットは、緩衝作用のある素材で形成されたベース部と、前記ベース部を覆うカバー部と、を有し、前記カバー部は、通気性のある通気性部材を含むことを特徴とする。
【００２７】
こうすれば、カバー部の通気性部材がベース部の上面にあるので、ペットが乗ってもベース部との間に通気性を保つことができる。
【００２８】
本発明のある態様によるペット用マットのカバー部は、上面で開口し底面方向に所定の深さがある略凹状の空間が設けられた空間部を有し、緩衝作用のある素材で形成されたベース部を含むペット用マットにおいて、少なくとも前記空間部の開口を覆い、通気性のある通気性部材を含む、ことを特徴とする。
【発明の効果】
【００２９】
本発明によれば、空間部と空間部を覆う通気性部材がペット用マットの上面にあるので、ペットが乗っても通気性と弾力性とを確保することができ、ペットが快適に寛ぐことができるペット用マット及びペット用マットのカバー部を提供できる。また、ベース部は、空間部以外の上面が略平坦に形成されているので、ペット用マットの上面を有効に使うことができ、ペットがペット用マットの上面を移動しやすくなる。
【図面の簡単な説明】
【００３０】
【図１】本発明の第１の実施形態に係るペット用マットの構成を示す概略図である。
【図２】本発明の第１の実施形態に係るペット用マットの別の構成を示す上面図である。
【図３】本発明の第１の実施形態に係るペット用マットに形成された空間部の別の構成を示す側面断面図である。
【図４】本発明の第２の実施形態に係るカバー部の別の構成を示す側面断面図である。
【発明を実施するための形態】
【００３１】
以下、ペット用マットについて図面に従って説明する。以下に参照する各図において、他の図と同等部分は同一符号を付して説明する。
【００３２】
（第１の実施形態）
先ず、第１の実施形態に係るペット用マットの構成について、図１を参照して説明する。図１は、第１の実施形態に係るペット用マットの構成を示す概略図である。図１（Ａ）はペット用マット１の構成を示す上面図であり、図１（Ｂ）は図１（Ａ）の一点鎖線Ａで縦に切ったペット用マット１の構成を示す側面断面図であり、図１（Ｃ）はペットＰがペット用マット１の上面に乗った状態のペット用マット１の構成を示す側面断面図である。
【００３３】
図１（Ａ）及び図１（Ｂ）に示すように、ペット用マット１は、ベース部１００とカバー部２００とから構成されている。
ベース部１００は、上面で開口し底面方向に所定の深さがある略凹状の空間で構成された空間部１１０を有する。ベース部１００は、空間部１１０以外の上面が略平坦に形成されている。ベース部１００は、上面が例えば四角形で構成されている。ベース部１００は、緩衝作用のある素材で形成されている。ベース部１００は、発泡ウレタン、スポンジ、綿または反発性と通気性と耐久性とを備えた素材であるエアロキューブ（登録商標）などで形成されている。空間部１１０は、開口の形状が例えば四角形で構成され、ベース部１００の底面方向に所定の深さを有する凹状の空間が形成されている。
【００３４】
空間部１１０の開口は、ベース部１００上面の外辺から適度な距離を持って形成されている。ベース部１００上面の空間部１１０以外の面は、ペットＰがペット用マット１に横たわったときの枕となりうる。また、ベース部１００は、空間部１１０以外の上面が略平坦に形成されているので、ペットＰがペット用マット１の上面を移動しやすくなる。
【００３５】
ベース部１００を形成する方法は、ベース部１００の上面から空間部１１０を取り除くように形成しても良いし、上半分に空間部１１０の穴を形成し、穴の開いていない下半分を接着するように形成しても良い。なお、図１（Ａ）及び図１（Ｂ）では、ベース部１００の角が直角で描かれているが、ベース部１００の角が丸くなるように形成しても良い。
【００３６】
カバー部２００は、ベース部１００上面の空間部１１０の開口を覆う部分が通気性のある素材で形成された通気性部材２１０で構成されている。例えば、図１（Ａ）では、通気性部材２１０は、ベース部１００の上面をすべて覆うように構成されている。カバー部２００は、ベース部１００の上面以外の面（側面及び底面）に対しては特に通気性を必要としない非通気性部材２１５で形成されている。通気性部材２１０は、非通気性部材２１５と接合部２２０で縫合や接着などの方法で接合されている。
【００３７】
また、カバー部２００は、ベース部１００から着脱可能に構成されており、非通気性部材２１５の側面に線ファスナー２３０（または面ファスナー、ボタン、スナップなどの締結手段）が設けられている。
【００３８】
通気性部材２１０は、通気性を持たせるためにメッシュ構造で形成されている。通気性部材２１０は、ポリエステル等の合成樹脂、不織布または防水透湿性素材であるゴアテックス（登録商標）、ドライテック（登録商標）、エントラント（登録商標）などで形成されている。非通気性部材２１５は、ポリエステルまたはポリウレタン等の合成樹脂で形成されている。
【００３９】
通気性部材２１０は、空間部１１０の開口を覆う部分で張設されるように構成されている。図１（Ｃ）に示すように、ペット用マット１の上面にペットＰが乗ると、通気性部材２１０は、空間部１１０の底面方向に撓む。通気性部材２１０は、ペットＰの体重が加わっても空間部１１０の底面に届かないように張設されている。
【００４０】
通気性部材２１０は、１枚で十分な張設が得られない場合、通気性部材２１０の上にさらに被覆部材を張設しても良い。被覆部材は、通気性部材２１０と同様な素材で形成されている。また、ペット用マット１の上面にペットＰが乗ると、ベース部１００の空間部１１０以外の上面が撓むように構成しても良い。
【００４１】
次に、第１の実施形態に係るペット用マットの別の構成について、図２を参照して説明する。図２は、第１の実施形態に係るペット用マットの別の構成を示す上面図である。
【００４２】
図２（Ａ）は、ベース部１００の上面の形状が略楕円形状に構成され、空間部１１０の開口も略楕円形状に構成されている。図２（Ｂ）は、ベース部１００の上面の形状が六角形状に構成され、空間部１１０の開口も六角形状に構成されている。ベース部１００の上面の形状及び空間部１１０の開口の形状は、これ以外の多角形状（八角形、十二角形など）または略円形状でも構わない。また、ベース部１００の上面の形状と空間部１１０の開口の形状とが同じ形状でなくても良い。例えば、ベース部１００の上面の形状は四角形状で、空間部１１０の開口の形状を略楕円形状で構成しても構わない。
【００４３】
次に、第１の実施形態に係るペット用マットに形成された空間部の別の構成について、図３を参照して説明する。図３は、第１の実施形態に係るペット用マットに形成された空間部の別の構成を示す側面断面図である。
【００４４】
図１（Ｂ）では、ベース部１００の空間部１１０は、凹状が底面方向に略垂直に形成されていたが、他の形状でも構わない。図３（Ａ）は、ベース部１００の空間部１１０を開口から内側に斜めに形成した構成を示す側面断面図である。図３（Ｂ）は、ベース部１００の空間部１１０を開口から内側に丸く形成した構成を示す側面断面図である。
【００４５】
また、ベース部１００の空間部１１０は、凹状以外に上面から底面まで貫く穴状（ドーナツ状）に形成しても良い。図３（Ｃ）は、ベース部１００の空間部１１０を開口から底面を貫く穴状に形成した構成を示す側面断面図である。ベース部１００の空間部１１０を開口から底面を貫く穴状に形成した場合、図３（Ｃ）に示すように、カバー部２００の底面も通気性部材２１０で形成しても良い。
【００４６】
また、ベース部１００の空間部１１０は、上面及び底面の両方に形成しても良い。図３（Ｄ）は、ベース部１００の空間部１１０を上面及び底面に形成した構成を示す側面断面図である。図３（Ｃ）または図３（Ｄ）のように構成すれば、ベース部１００の上面の通気性部材２１０が汚れたら、ペット用マット１を裏返すことにより、まだ汚れていない通気性部材２１０を上面にして使うことができる。
【００４７】
以上に述べた第１の実施形態によれば、以下の効果が得られる。
第１の実施形態では、空間部１１０と空間部１１０を覆う通気性部材２１０がペット用マット１の上面にあるので、ペットが乗っても通気性と弾力性とを確保することができ、ペットが快適に寛ぐことができるペット用マット１を提供できる。また、ベース部１００は、空間部１１０以外の上面が略平坦に形成されているので、ペット用マット１の上面を有効に使うことができ、ペットがペット用マット１の上面を移動しやすくなる。
【００４８】
（第２の実施形態）
第１の実施形態では、ペット用マット１は、ベース部１００の全面を通気性部材２１０と非通気性部材２１５とで構成されたカバー部２００で覆うように説明したが、カバー部２００は、ベース部１００の全面を覆わないようにしても良い。図４は、第２の実施形態に係るカバー部の別の構成を示す側面断面図である。
【００４９】
図４（Ａ）は、ベース部１００の上面に通気性部材２１０と非通気性部材２１５とで構成されたカバー部２００を面ファスナー２４０で着脱可能に取り付けた構成を示す側面断面図である。面ファスナー２４０は、一方がベース部１００上面の空間部１１０以外の面に取り付けられ、他方が非通気性部材２１５の対面する位置に取り付けられている。なお、面ファスナー２４０は、ボタン、スナップなどの他の締結手段でも構わない。また、カバー部２００は、ベース部１００の上面をすべて通気性部材２１０で構成しても良い。
【００５０】
図４（Ｂ）は、ベース部１００の上面が通気性部材２１０で構成され、ベース部１００の側面が非通気性部材２１５で構成されたカバー部２００を面ファスナー２４０で着脱可能に取り付けた構成を示す側面断面図である。面ファスナー２４０は、一方がベース部１００の側面に取り付けられ、他方が非通気性部材２１５の対面する位置に取り付けられている。なお、ベース部１００の上面及び側面を覆うカバー部２００を通気性部材２１０だけで構成しても良い。
【００５１】
図４（Ｃ）は、ベース部１００の上面が通気性部材２１０で構成され、ベース部１００の側面が非通気性部材２１５で構成されたカバー部２００をゴム紐２５０で着脱可能に取り付けた構成を示す側面断面図である。カバー部２００の側面にはゴム紐２５０が取り付けられており、カバー部２００は、ゴム紐２５０でベース部１００の側面に固定することができる。この場合、ベース部１００の側面またはカバー部２００の側面には、滑り止めとなるようにゴムなどの素材を張っておくことが望ましい。なお、ベース部１００の上面及び側面を覆うカバー部２００を通気性部材２１０だけで構成しても良い。
【００５２】
以上に述べた第２の実施形態によれば、以下の効果が得られる。
第２の実施形態では、カバー部２００をベース部１００の全面に設ける必要が無く、カバー部２００の材料費を抑えることができる。
【００５３】
（変形例１）
第１の実施形態では、ペット用マット１は、カバー部２００の通気性部材２１０がベース部１００の空間部１１０の開口で張設されるように説明したが、必ずしも張設されていなくても良い。図１（Ｃ）では、ペットＰがペット用マット１の上面に乗った場合、通気性部材２１０が空間部１１０の底面に着かないように説明したが、通気性部材２１０が空間部１１０の底面に着いても構わない。図１（Ｃ）に示したように、空間部１１０が開口から略垂直な凹状で形成されていれば、通気性部材２１０が空間部１１０の底面に着いても、空間部１１０の底面の周囲には空間が残っているので、通気性を保つことができる。
【００５４】
（変形例２）
第１の実施形態では、ペット用マット１は、カバー部２００がベース部１００から線ファスナー２３０により着脱可能に構成された場合を説明したが、着脱できなくても良い。また、通気性部材２１０は、空間部１１０の開口を覆うようにベース部１００の上面に接着されていても良い。
【００５５】
（変形例３）
第１の実施形態では、ペット用マット１は、カバー部２００が通気性部材２１０と非通気性部材２１５とが接合部２２０で接合されているように説明したが、通気性部材２１０と非通気性部材２１５とを同一の素材（ポリエステル等の合成樹脂）を用いて同一工程で製造し、別の工程で空間部１１０の開口を覆う部分がメッシュ構造となるように加工しても良い。
【００５６】
（変形例４）
第１の実施形態では、ペット用マット１は、ベース部１００の上面に所定の深さの空間部１１０を有するように説明したが、空間部１１０は無くても良い。この場合でも、ペットＰがペット用マット１の上面に乗っても、カバー部２００の通気性部材２１０がベース部１００の上面にあるので、ベース部１００との間に通気性を保つことができる。
【００５７】
（変形例５）
第１の実施形態では、ペット用マット１は、ベース部１００の上面に空間部１１０を１つだけ有するように説明したが、複数の空間部を有しても良い。例えば、ベース部１００の上面に小さな凹状（または穴状）の空間部を縦横に複数配列すれば、ペットＰがペット用マット１の上面に乗っても、カバー部２００の通気性部材２１０によりベース部１００との間に通気性を保つことができる。この場合、通気性部材２１０は、張設する必要は無くなる。また、凹状の空間部の替わりに凸状の突起部をベース部１００の上面に複数設けても良い。
【００５８】
なお、本発明の範囲は、図示され記載された例示的な実施形態に限定されるものではなく、本発明が目的とするものと均等な効果をもたらすすべての実施形態をも含む。さらに、本発明の範囲は、請求項により画される発明の特徴の組み合わせに限定されるものではなく、すべての開示されたそれぞれの特徴のうち特定の特徴のあらゆる所望する組み合わせによって画されうる。
【産業上の利用可能性】
【００５９】
本発明は、室内で飼う犬や猫などの小動物が寛ぐためのペット用マットに利用することができる。
【符号の説明】
【００６０】
１  ペット用マット
１００  ベース部
１１０  空間部
２００  カバー部
２１０  通気性部材
２１５  非通気性部材
２２０  接合部
２３０  線ファスナー
２４０  面ファスナー
２５０  ゴム紐
【図１】
2014168400.tif 000003
【図２】
2014168400.tif 000004
【図３】
2014168400.tif 000005
【図４】
2014168400.tif 000006